(57)【要約】【課題】            光源ユニット１００を点灯ユニット２００に着脱する際、点灯装置２５０の動作を停止させ、誤動作を防止する。【解決手段】        台座部１１０と、台座部１１０に設けられる係止片１２０および口金ピン１３０からなる光源ユニット１００と、口金ピン１３０が挿入される口金受部２４０と、台座部１１０に接触可能なスイッチ部２６０と、スイッチ部２６０が押圧されると動作が停止し、スイッチ部２６０が押圧されないときに動作する点灯装置２５０と、係止片１２０が挿入される係止溝部２３０からなる点灯ユニット２００を備え、係止片１２０が水平方向に可動するときスイッチ部２６０を押圧し、係止片１２０が垂直方向に可動する、または係止片１２０が所定の位置に収納されるときスイッチ部２６０の押圧を解除するので、光源ユニット１００を点灯ユニット２００に着脱する際、点灯装置２５０の動作を停止させ、点灯装置２５０の誤動作を防止することができる。【選択図】          図７
2012022967.tif 000002
【特許請求の範囲】
【請求項１】
円筒形状の台座部と、この台座部の側壁から外方に突出する係止片と、台座部の底面から突出する口金ピンと、を有する光源ユニットと、
前記口金ピンが挿入される口金受部と、前記台座部の底面に接触可能なスイッチ部と、前記スイッチ部が押圧されると動作が停止し、前記スイッチ部が押圧されないときに動作する点灯装置と、前記係止片が挿入されるＬ字状の係止溝部と、有する点灯ユニットと、
を備える電球型光源装置であって、
前記係止片が前記台座部の底面に対して水平方向に可動するとき、前記スイッチ部を押圧し、かつ、前記係止片が前記台座部の底面に対して垂直方向に可動する、または、前記係止片が所定の位置に収納されるとき、前記スイッチ部の押圧を解除することを特徴とする電球型光源装置。
【発明の詳細な説明】
【技術分野】
【０００１】
本発明は、ランプを点灯する電球型光源装置の技術に関するものである。
【背景技術】
【０００２】
光源ユニットが交換可能な電球型蛍光ランプに関する技術がある。（例えば、特許文献１〜特許文献３）
【先行技術文献】
【特許文献】
【０００３】
【特許文献１】特開２００９−１０４８９６号公報
【特許文献２】特開２０１０−１００４４号公報
【特許文献３】特開２０１０−６７４１９号公報
【発明の概要】
【発明が解決しようとする課題】
【０００４】
しかしながら、光源ユニットを点灯ユニットに着脱する際、点灯装置が動作しているため、チャタリングが発生して点灯装置が誤動作するという課題があった。
【０００５】
本発明は、光源ユニットを点灯ユニットに着脱する際、点灯装置の動作を停止させ、点灯装置の誤動作を防止することを目的とする。
【課題を解決するための手段】
【０００６】
本発明に係わる電球型光源装置は、円筒形状の台座部と、この台座部の側壁から外方に突出する係止片と、台座部の底面から突出する口金ピンと、を有する光源ユニットと、前記口金ピンが挿入される口金受部と、前記台座部の底面に接触可能なスイッチ部と、前記スイッチ部が押圧されると動作が停止し、前記スイッチ部が押圧されないときに動作する点灯装置と、前記係止片が挿入されるＬ字状の係止溝部と、有する点灯ユニットと、を備え、前記係止片が前記台座部の底面に対して水平方向に可動するとき、前記スイッチ部を押圧し、かつ、前記係止片が前記台座部の底面に対して垂直方向に可動するとき、または、前記係止片が所定の位置に収納されるとき、前記スイッチ部の押圧を解除する。
【発明の効果】
【０００７】
本発明によれば、光源ユニットを点灯ユニットに着脱する際、点灯装置の動作を停止させ、点灯装置の誤動作を防止することができる。
【図面の簡単な説明】
【０００８】
【図１】実施の形態１の電球型光源装置を示す側面図である。
【図２】実施の形態１の電球型光源装置の分解側面である。
【図３】図２に示す電球型光源装置の光源ユニットの下面図である。
【図４】図２に示す電球型光源装置の点灯ユニットの上面図である。
【図５】実施の形態１の点灯装置を示す回路ブロック図である。
【図６】実施の形態１の光源ユニットを点灯ユニットに取り付ける過程を示す側面図である。
【図７】図６に示す点灯ユニットの側断面図である。
【図８】実施の形態１の他の点灯装置を示す回路ブロック図である。
【発明を実施するための形態】
【０００９】
実施の形態１．
図１は、本実施の形態を示す電球型光源装置の側面図であり、図２は、図１に示す電球型光源装置の分解側面図であり、図３は、電球型光源装置の光源ユニットの下面図であり、図４は、電球型光源装置の点灯ユニットの上面図である。
【００１０】
電球型光源装置１０００は、光源ユニット１００と、この光源ユニット１００が着脱可能に取り付けられる点灯ユニット２００と、を備える。
【００１１】
光源ユニット１００は、円筒形状の台座部１１０と、台座部１１０の側壁から外向きに突出する２つの係止片１２０と、台座部１１０の底面から突出する４つの口金ピン１３０と、台座部１１０に取り付けられる発光部１４０とを備える。
【００１２】
２つの係止片１２０を結ぶ仮想線が、台座部１１０の円形状の中心を通るように、台座部１１０に側壁に設けられている。
【００１３】
４つの口金ピン１３０は、台座部１１０の円形状の中心点を軸にして、互いに９０°ずらして、台座部１１０の底面に設けられている。
【００１４】
発光部１４０は、光源部（図示しない）と、この光源部を覆うように台座部１１０に取りつけられるカバー部１４１と、を備える。
【００１５】
光源部は、例えば、ＬＥＤ、ＥＬ、蛍光ランプなどである。
この実施の形態では、光源部に蛍光ランプＦＬを用いる場合について説明をする。
この蛍光ランプＦＬは、蛍光管と、口金ピン１３０と電気的に接続し、蛍光管の端部側に備えるフィラメントと、を備える。
【００１６】
点灯ユニット２００は、ランプソケット（図示しない）に取り付けられる口金部２１０と、コップ状の被取付台座部２２０と、この被取付台座部２２０の側壁に設けられるＬ字形状の係止溝部２３０と、光源ユニット１００の口金ピン１３０が挿入される円弧状に形成される４つの口金受部２４０と、被取付台座部２２０に内蔵され、口金部２１０から電源が供給されて、口金受部２４０を介して、蛍光ランプＦＬ（光源部）に電力を供給する点灯装置２５０と、この点灯装置２５０に実装され、被取付台座部２２０の内側中央部に配置されるプッシュ式のスイッチ部２６０と、を備える。
【００１７】
図５は、図１に示す電球型光源装置の点灯装置の回路ブロック図である。
【００１８】
点灯装置２５０は、交流Ｖａｃを直流に変換するＡＣ−ＤＣ変換回路２５１と、このＡＣ−ＤＣ変換回路２５１で変換した直流電流を高周波電力に変換して、蛍光ランプＦＬに供給する高周波電力変換回路２５２と、この高周波電力変換回路２５２とＡＣ−ＤＣ変換回路２５１との間に備えるスイッチ部２６０（スイッチＳＷ）と、を備える。
【００１９】
スイッチ部２６０が押圧されると、ＡＣ−ＤＣ変換回路２５１から高周波電力変換回路２５２に供給する電力を遮断し、スイッチ部２５３の押圧が解除されると、ＡＣ−ＤＣ変換回路２５１から高周波電力変換回路２５２に供給する。
【００２０】
ＡＣ−ＤＣ変換回路２５１は、入力される交流電流を全波整流するダイオードブリッジＤＢと、このダイオードブリッジＤＢにより全波整流した電流を平滑する平滑コンデンサＣ２と、を備える。
【００２１】
高周波電力変換回路２５２は、平滑コンデンサＣ２が平滑した平滑電圧を高周波交流電圧に変換するインバータ回路２５２ａと、インバータ回路２５２ａの発振を開始させる起動回路２５２ｂと、インバータ回路２５２ａの発振を制御するインバータ制御回路２５２ｃと、蛍光ランプＦＬに流れる電流を制御する負荷回路２５２ｄと、を備える。
【００２２】
インバータ回路２５２ａは、ＭＯＳ−ＦＥＴ  Ｑ１と、このＭＯＳ−ＦＥＴ  Ｑ１のゲート端子−ソース端子間に並列に接続されるツェナーダイオードＤＺ１、ＤＺ２と、ＭＯＳ−ＦＥＴ  Ｑ２からなる。
【００２３】
起動回路２５２ｂは、平滑コンデンサが平滑した平滑電圧がスイッチＳＷ１を介して供給され、ＭＯＳ−ＦＥＴ  Ｑ１のゲート端子に電圧を印加する抵抗Ｒ１、Ｒ２、Ｒ５およびコンデンサＣ６からなる。
【００２４】
インバータ制御回路２５２ｃは、インダクタＬ２と、コンデンサＣ３と、抵抗Ｒ３からなり、このインダクタＬ２とコンデンサＣ３と抵抗Ｒ３の共振によって、ＭＯＳ−ＦＥＴ  Ｑ１、Ｑ２のゲート端子に電圧を印加し、ＭＯＳ−ＦＥＴ  Ｑ１とＭＯＳ−ＦＥＴ  Ｑ２を交互にオン／オフする。
【００２５】
負荷回路２５２ｄは、コンデンサＣ５と、インダクタＬ１と、コンデンサＣ４からなり、このコンデンサＣ５、インダクタＬ１、コンデンサＣ４の共振によって、蛍光ランプＦＬを点灯する。
【００２６】
次に、光源ユニットを点灯ユニットに取り付ける過程について説明する。
図６は、光源ユニットを点灯ユニットに取り付ける過程を示す図であり、図７は、図６に示す電球型光源装置の側断面図である。
【００２７】
図６（ａ）、図７（ａ）は、光源ユニットを点灯ユニットに取り付けた状態を示している。
まず、光源ユニット１００の係止片１２０を点灯ユニット２００の係止溝部２３０に挿入すると、光源ユニット１００の台座部１１０がスイッチ部２６０（スイッチＳＷ）を押し、インバータ回路２５２ａの動作が停止する。
このとき、口金ピン１３０は、点灯装置２５０の出力端子に接触していない。
【００２８】
図６（ｂ）、図６（ｃ）、図７（ｂ）は、光源ユニットを回転させている状態を示している。
光源ユニット１００の係止片１２０を点灯ユニット２００の係止溝部２３０に沿って、光源ユニット１００を回転させると、口金ピン１３０が点灯装置２５０の出力端子に接触する。
【００２９】
しかしながら、台座部１１０がスイッチ部２６０（スイッチＳＷ）を押している状態を継続するので、インバータ回路２５２ａは動作をしていない。
【００３０】
図６（ｄ）、図７（ｃ）は、光源ユニットを回転させ、点灯ユニットに取り付けた状態を示している。
光源ユニット１００の係止片１２０を点灯ユニット２００の係止溝部２３０に沿って回転させきると、光源ユニット１００は、点灯ユニット２００の外方（図６の上方）に移動する。
【００３１】
このとき、スイッチ部２６０（スイッチＳＷ）の押圧は解除され、インバータ回路２５２ａが動作を開始する。
【００３２】
したがって、点灯装置２５０の出力端子と口金ピン１３０が接触している状態でインバータ回路２５２ａの動作を開始させることができる。
【００３３】
そのため、点灯装置２５０の出力端子と口金ピン１３０の間でチャタリングなどが発生することがなく、点灯装置２５０を誤動作なく動作させることができる。
【００３４】
図８は、本実施の形態の他の点灯装置を示す回路ブロック図である。
【００３５】
点灯装置２５０ａは、交流Ｖａｃを直流に変換するＡＣ−ＤＣ変換回路２５１と、このＡＣ−ＤＣ変換回路２５１で変換した直流電流を高周波電力に変換して、蛍光ランプＦＬに供給する高周波電力変換回路２５２と、この高周波電力変換回路２５２の発振を開始させる起動回路２５２ｂと、この起動回路２５２ｂとＡＣ−ＤＣ変換回路２５１との間に備えるスイッチ部２６０ａ（スイッチＳＷ１）と、高周波電力変換回路２５２の発振を停止させるスイッチ部２６０ｂ（スイッチＳＷ２）と、を備える。
【００３６】
ＡＣ−ＤＣ変換回路２５１は、入力される交流電流を全波整流するダイオードブリッジＤＢと、このダイオードブリッジＤＢにより全波整流した電流を平滑する平滑コンデンサＣ２と、を備える。
【００３７】
高周波電力変換回路２５２は、平滑コンデンサＣ２が平滑した平滑電圧を高周波交流電圧に変換するインバータ回路２５２ａと、このインバータ回路２５２ａの発振を開始させる起動回路２５２ｂと、インバータ回路２５２ａの発振状態を制御するインバータ制御回路２５２ｃと、蛍光ランプＦＬに流れる電流を制御する負荷回路２５２ｄと、を備える。
【００３８】
インバータ回路２５２ａは、ＭＯＳ−ＦＥＴ  Ｑ１と、このＭＯＳ−ＦＥＴ  Ｑ１のゲート端子−ソース端子間に並列に接続されるツェナーダイオードＤＺ１、ＤＺ２と、ＭＯＳ−ＦＥＴ  Ｑ２からなる。
【００３９】
起動回路２５２ｂは、平滑コンデンサＣ２が平滑した平滑電圧がスイッチ部２６０ａ（スイッチＳＷ１）を介して供給され、ＭＯＳ−ＦＥＴ  Ｑ１のゲート端子に電圧を印加する抵抗Ｒ１、Ｒ２、Ｒ５およびコンデンサＣ６からなる。
【００４０】
インバータ制御回路２５２ｃは、インダクタＬ２、コンデンサＣ３、抵抗Ｒ３の共振によって、ＭＯＳ−ＦＥＴ  Ｑ１、Ｑ２のゲート端子に電圧を印加し、ＭＯＳ−ＦＥＴ  Ｑ１とＭＯＳ−ＦＥＴ  Ｑ２を交互にオン／オフする。
【００４１】
負荷回路２５２ｄは、コンデンサＣ５と、インダクタＬ１と、コンデンサＣ４からなり、このコンデンサＣ５、インダクタＬ１、コンデンサＣ４の共振によって、蛍光ランプＦＬを点灯する。
【００４２】
スイッチＳＷ１は、一端側が平滑コンデンサの高電位側に接続され、他端側が起動回路２５２ｂに接続される。
【００４３】
スイッチＳＷ２は、一端側がＭＯＳ−ＦＥＴ  Ｑ２のゲート端子に接続され、他端側が平滑コンデンサＣ２の低電位側に接続される。
【００４４】
ここで、スイッチＳＷ１が閉じ、スイッチＳＷ２が開くと、ＡＣ−ＤＣ変換回路２５１から起動回路２５２ｂに電力が供給され、インバータ回路２５２ａの発振を開始し、スイッチＳＷ１が開き、スイッチＳＷ２が閉じると、インバータ回路２５２ａの発振を停止する。
【００４５】
また、スイッチＳＷ１は、光源ユニット１００を点灯ユニット２００に取り付けた状態のとき、閉じた状態となり、光源ユニット１００を点灯ユニット２００から外した状態、光源ユニット１００を点灯ユニット２００に取り付ける、取り外す過程の状態のとき、開いた状態となる。
【００４６】
また、スイッチＳＷ２は、光源ユニット１００を点灯ユニット２００に取り付けた状態のとき、開いた状態となり、光源ユニット１００を点灯ユニット２００から外した状態、光源ユニット１００を点灯ユニット２００に取り付ける、取り外す過程の状態のとき、閉じた状態となる。
【００４７】
光源ユニット１００を取り付けるときは、スイッチＳＷ２を開き、その後、スイッチＳＷ１を閉じる。スイッチＳＷ２を開放することで、ＭＯＳ−ＦＥＴ  Ｑ１のゲート端子に電圧がかかるようにし、スイッチＳＷ１を閉じると、起動回路２５２ｂに電流が流れ、ＭＯＳ−ＦＥＴ  Ｑ１のゲート端子に電圧が印加される。このようにすることで、光源ユニット１００の電極を確実に点灯装置２５０に接続してから、点灯ユニット１００から光源ユニット２００へ電力供給を開始することができ、光源ユニット１００と点灯ユニット２００との間にチャタリングが発生するのを防止することができ、チャタリングによって、点灯ユニット２００（点灯装置２５０ａ）が誤動作するのを防止することができる。
【００４８】
光源ユニット１００を外すときは、スイッチＳＷ２を閉じ、ＭＯＳ−ＦＥＴ  Ｑ２のゲート端子に電圧がかからないようにして、インバータ回路２５２ａの発振を停止するとともに、スイッチＳＷ１を開放して、起動回路２５２ｂに電流が流れないようにする。このようにすることで、光源ユニット１００を点灯ユニット２００からはずすとき、点灯装置２５０ａから光源ユニット１００への電力供給を停止させることができ、光源ユニット１００と点灯装置２５０ａとの間にアークが発生するのを防止することができる。
【００４９】
なお、本実施の形態では、光源部に蛍光ランプＦＬを用いる場合について説明したが、白色ＬＥＤなどの発光ダイオードであってもよいし、有機ＥＬ、無機ＥＬなどの他の光源であってもよい。このように光源部に発光ダイオードなどを用いる場合は、点灯装置２５０に高周波電力変換回路２５２を用いることなく、定電流回路などの光源の種類に適した回路に変更してもよい。
【符号の説明】
【００５０】
１０００  電球型光源装置、１００  光源ユニット、１１０  台座部、１２０  係止片、１３０  口金ピン、１４０  発光部、１４１  カバー部、２００  点灯ユニット、２１０  口金部、２２０  被取付台座部、２３０  係止溝部、２４０  口金受部、２５０、２５０ａ  点灯装置、２５１  ＡＣ−ＤＣ変換回路、２５２  高周波電力変換回路、２５２ａ  インバータ回路、２５２ｂ  起動回路、２５２ｃ  インバータ制御回路、２５２ｄ  負荷回路、２６０、２６０ａ、２６０ｂ  スイッチ部、ＳＷ、ＳＷ１、ＳＷ２  スイッチ、ＦＬ  蛍光ランプ。
【図１】
2012022967.tif 000003
【図２】
2012022967.tif 000004
【図３】
2012022967.tif 000005
【図４】
2012022967.tif 000006
【図５】
2012022967.tif 000007
【図６】
2012022967.tif 000008
【図７】
2012022967.tif 000009
【図８】
2012022967.tif 000010